【手続補正書】
【提出日】平成15年6月25日(2003.6.25)
【手続補正１】
【補正対象書類名】明細書
【補正対象項目名】発明の名称
【補正方法】変更
【補正の内容】
【発明の名称】情報提供装置、及び情報提供方法
【手続補正２】
【補正対象書類名】明細書
【補正対象項目名】特許請求の範囲
【補正方法】変更
【補正の内容】
【特許請求の範囲】
【請求項１】
ユーザ端末に情報を提供する情報提供装置において、
地図情報を保持する地図情報テーブルと、
ユーザ端末からの入力に応じて、特定の地図情報を、前記地図情報テーブルに基づいて前記ユーザ端末に提供する地図情報提供手段と、
提供情報に提供対象範囲を示す範囲情報を対応づけて保持する提供情報テーブルと、
前記地図情報提供手段により前記ユーザ端末に提供される前記地図情報と前記提供情報テーブルの範囲情報との比較に基づいて、特定の提供情報を抽出して前記ユーザ端末に提供する情報抽出手段と
を設けたことを特徴とする情報提供装置。
【請求項２】
請求項１記載の情報提供装置において、
現在日時を検出する日時検出手段をさらに備え、
前記提供情報テーブルは、提供情報にさらに有効期間を示す期間情報を対応づけて保持し、
前記情報抽出手段は、さらに検出された現在日時と前記提供情報テーブルの期間情報との比較に基づいて、特定の提供情報を抽出する
ことを特徴とする情報提供装置。
【請求項３】
請求項１記載の情報提供装置において、
ユーザ端末の識別情報にユーザの特性を示す個人情報を対応づけて保持する個人情報テーブルをさらに備え、
前記提供情報テーブルは、提供情報にさらに属性を示す属性情報を対応づけて保持し、
前記情報抽出手段は、入力を受け付けたユーザ端末の識別情報に基づいて該ユーザ端末に対応するユーザの個人情報を前記個人情報テーブルから取得して、取得した個人情報と前記提供情報テーブルの属性情報との比較の結果に基づいて、特定の提供情報を抽出する
ことを特徴とする情報提供装置。
【請求項４】
請求項１記載の情報提供装置において、
前記情報抽出手段は、提供情報を抽出する所定数を超える場合には、提供情報を該所定数に限定して送出する
ことを特徴とする情報提供装置。
【請求項５】
請求項１記載の情報提供装置において、
ユーザ端末の識別情報にユーザの連絡先を示す連絡先情報を対応づけて保持する個人情報テーブルをさらに備え、
前記情報抽出手段は、入力を受け付けたユーザ端末の識別情報に基づいて該ユーザ端末に対応するユーザの連絡先を示す連絡先情報を前記個人情報テーブルから取得し、該連絡先情報に基づき抽出した特定の提供情報を送出する
ことを特徴とする情報提供装置。
【請求項６】
請求項５記載の情報提供装置において、
前記個人情報テーブルに、前記情報抽出手段が取得するユーザ端末の識別情報に複数の連絡先情報が保持されている場合、前記情報抽出手段は、該連絡先情報それぞれの区分を示す連絡先区分情報を、抽出した前記特定の提供情報とともにユーザ端末に提供する
ことを特徴とする情報提供装置。
【請求項７】
請求項６記載の情報提供装置において、
前記複数の連絡先情報には優先順位が指定されており、前記連絡先区分情報を該優先順位に従って並べてユーザ端末に表示する
ことを特徴とする情報提供装置。
【請求項８】
請求項１記載の情報提供装置において、
前記情報抽出手段は、特定の前記地図情報に基づいて特定位置を決定し、該特定位置と前記提供情報テーブルの範囲情報との比較に基づいて、特定の提供情報を抽出して前記ユーザ端末に提供する
ことを特徴とする情報提供装置。
【請求項９】
請求項１記載の情報提供装置において、
前記情報抽出手段あるいは前記地図情報提供手段が、前記特定の地図情報および前記特定の提供情報の両方を含む画面情報を生成して、前記ユーザ端末に提供する
ことを特徴とする情報提供装置。
【請求項１０】
請求項９記載の情報提供装置において、
前記情報抽出手段あるいは前記地図情報提供手段は、前記特定の地図情報と前記特定の提供情報が重ならない画面構成で画面情報を生成する
ことを特徴とする情報提供装置。
【請求項１１】
請求項１記載の情報提供装置において、
前記地図情報提供手段は、特定の前記地図情報とともに該地図情報の縮尺あるいは表示範囲を指示できる選択情報を前記ユーザ端末に提供する
ことを特徴とする情報提供装置。
【請求項１２】
請求項１記載の情報提供装置において、
前記地図情報提供手段は、前記特定の地図情報とともに該地図情報に連続する地図情報の表示を指示できる選択情報を前記ユーザ端末に提供する
ことを特徴とする情報提供装置。
【請求項１３】
請求項１記載の情報提供装置において、
前記提供情報は、広告情報あるいはイベント情報である
ことを特徴とする情報提供装置。
【請求項１４】
ユーザ端末に情報を提供する情報提供方法において、
ユーザ端末からの入力に応じて、地図情報を保持する地図情報テーブルから特定の地図情報を抽出し、
提供情報に提供対象範囲を示す範囲情報を対応づけて保持する提供情報テーブルを参照し、前記特定の地図情報と該提供情報テーブルの範囲情報との比較に基づいて、特定の提供情報を抽出し、
前記特定の地図情報および前記特定の提供情報を前記ユーザ端末に提供する
ことを特徴とする情報提供方法。
【請求項１５】
請求項１４記載の情報提供方法において、
前記提供情報テーブルは、提供情報に対応づけてさらに有効期間を示す期間情報を保持するとともに、
前記特定の提供情報を抽出する際に、さらに、現在日時と期間情報との比較に基づいて、特定の提供情報を抽出する
ことを特徴とする情報提供方法。
【請求項１６】
請求項１４記載の情報提供方法において、
前記提供情報テーブルは、提供情報に対応づけてさらに属性を示す属性情報を保持し、
前記特定の提供情報を抽出する際、
ユーザ端末の識別情報にユーザの特性を示す個人情報を対応づけて保持する個人情報テーブルを参照して、入力を受け付けたユーザ端末の識別情報に基づいて該ユーザ端末に対応するユーザの個人情報を取得し、取得した個人情報と前記提供情報テーブルの属性情報との比較の結果に基づいて、特定の提供情報を抽出する
ことを特徴とする情報提供方法。
【請求項１７】
請求項１４記載の情報提供方法において、
前記特定の提供情報を抽出する際、提供情報を抽出する所定数を設定し、該所定数を超える場合には、提供情報を該所定数に限定して送出する
ことを特徴とする情報提供方法。
【請求項１８】
請求項１４記載の情報提供方法において、
前記特定の提供情報を抽出する際、前記特定の地図情報に基づいて特定位置を決定し、該特定位置と前記提供情報テーブルの範囲情報との比較に基づいて、特定の提供情報を抽出して前記ユーザ端末に提供する
ことを特徴とする情報提供方法。
【請求項１９】
請求項１４記載の情報提供方法において、
前記特定の提供情報を前記ユーザ端末に提供する際、前記特定の地図情報および前記特定の提供情報の両方を含む画面情報を生成して、前記ユーザ端末に提供する
ことを特徴とする情報提供方法。
【請求項２０】
請求項１９記載の情報提供方法において、
前記情報抽出手段あるいは前記地図情報提供手段は、前記特定の地図情報と前記特定の提供情報が重ならない画面構成で画面情報を生成する
ことを特徴とする情報提供方法。
【請求項２１】
請求項１４記載の情報提供方法において、
前記特定の提供情報を前記ユーザ端末に提供する際、前記特定の地図情報とともに該地図情報の縮尺あるいは表示範囲を指示できる選択情報を提供する
ことを特徴とする情報提供方法。
【請求項２２】
請求項１４記載の情報提供方法において、
前記特定の提供情報を前記ユーザ端末に提供する際、前記特定の地図情報とともに該地図情報に連続する地図情報の表示を指示できる選択情報を前記ユーザ端末に提供する
ことを特徴とする情報提供方法。
【請求項２３】
請求項１４記載の情報提供方法において、
前記提供情報は、広告情報あるいはイベント情報である
ことを特徴とする情報提供方法。
【手続補正３】
【補正対象書類名】明細書
【補正対象項目名】０００１
【補正方法】変更
【補正の内容】
【０００１】
【発明の属する技術分野】
本発明は、広告，イベント情報などの様々な情報をパソコンや携帯情報端末（ＰＤＡ）等を所持するユーザに提供する情報提供装置及び情報提供方法に関する。


【手続補正４】
【補正対象書類名】明細書
【補正対象項目名】０００９
【補正方法】変更
【補正の内容】
【０００９】
【課題を解決するための手段】
請求項１に記載の発明では、ユーザ端末に情報を提供する情報提供装置において、地図情報テーブルは、地図情報を保持する。地図情報提供手段は、ユーザ端末からの入力に応じて、特定の地図情報を、地図情報テーブルに基づいてユーザ端末に提供する。提供情報テーブルは、提供情報に提供対象範囲を示す範囲情報を対応づけて保持する。情報抽出手段は、地図情報提供手段によりユーザ端末に提供される地図情報と提供情報テーブルの範囲情報との比較に基づいて、特定の提供情報を抽出してユーザ端末に提供する。
請求項２に記載の発明では、請求項１記載の情報提供装置において、日時検出手段は、現在日時を検出する。提供情報テーブルは、提供情報にさらに有効期間を示す期間情報を対応づけて保持する。情報抽出手段は、さらに検出された現在日時と提供情報テーブルの期間情報との比較に基づいて、特定の提供情報を抽出する。
請求項３に記載の発明では、請求項１記載の情報提供装置において、個人情報テーブルは、ユーザ端末の識別情報にユーザの特性を示す個人情報を対応づけて保持する。提供情報テーブルは、提供情報にさらに属性を示す属性情報を対応づけて保持する。情報抽出手段は、入力を受け付けたユーザ端末の識別情報に基づいて該ユーザ端末に対応するユーザの個人情報を個人情報テーブルから取得して、取得した個人情報と提供情報テーブルの属性情報との比較の結果に基づいて、特定の提供情報を抽出する。
【手続補正５】
【補正対象書類名】明細書
【補正対象項目名】００１０
【補正方法】変更
【補正の内容】
【００１０】
請求項４に記載の発明では、請求項１記載の情報提供装置において、情報抽出手段は、提供情報を抽出する所定数を超える場合には、提供情報を該所定数に限定して送出する。
請求項５に記載の発明では、請求項１記載の情報提供装置において、個人情報テーブルは、ユーザ端末の識別情報にユーザの連絡先を示す連絡先情報を対応づけて保持する。情報抽出手段は、入力を受け付けたユーザ端末の識別情報に基づいて該ユーザ端末に対応するユーザの連絡先を示す連絡先情報を個人情報テーブルから取得し、該連絡先情報に基づき抽出した特定の提供情報を送出する。
請求項６に記載の発明では、請求項５記載の情報提供装置において、個人情報テーブルに、情報抽出手段が取得するユーザ端末の識別情報に複数の連絡先情報が保持されている場合、情報抽出手段は、該連絡先情報それぞれの区分を示す連絡先区分情報を、抽出した特定の提供情報とともにユーザ端末に提供する。
【手続補正６】
【補正対象書類名】明細書
【補正対象項目名】００１１
【補正方法】変更
【補正の内容】
【００１１】
請求項７に記載の発明では、請求項６記載の情報提供装置において、複数の連絡先情報には優先順位が指定されており、連絡先区分情報を該優先順位に従って並べてユーザ端末に表示する。
請求項８に記載の発明では、請求項１記載の情報提供装置において、情報抽出手段は、特定の地図情報に基づいて特定位置を決定し、該特定位置と提供情報テーブルの範囲情報との比較に基づいて、特定の提供情報を抽出してユーザ端末に提供する。
請求項９に記載の発明では、請求項１記載の情報提供装置において、情報抽出手段あるいは地図情報提供手段が、特定の地図情報および特定の提供情報の両方を含む画面情報を生成して、ユーザ端末に提供する。
【手続補正７】
【補正対象書類名】明細書
【補正対象項目名】００１２
【補正方法】変更
【補正の内容】
【００１２】
請求項１０に記載の発明では、請求項９記載の情報提供装置において、情報抽出手段あるいは地図情報提供手段は、特定の地図情報と特定の提供情報が重ならない画面構成で画面情報を生成する。
請求項１１に記載の発明では、請求項１記載の情報提供装置において、地図情報提供手段は、特定の地図情報とともに該地図情報の縮尺あるいは表示範囲を指示できる選択情報をユーザ端末に提供する。
請求項１２に記載の発明では、請求項１記載の情報提供装置において、地図情報提供手段は、特定の地図情報とともに該地図情報に連続する地図情報の表示を指示できる選択情報をユーザ端末に提供する。
【手続補正８】
【補正対象書類名】明細書
【補正対象項目名】００１３
【補正方法】変更
【補正の内容】
【００１３】
請求項１３に記載の発明では、請求項１記載の情報提供装置において、提供情報は、広告情報あるいはイベント情報である。
請求項１４に記載の発明では、ユーザ端末に情報を提供する情報提供方法において、ユーザ端末からの入力に応じて、地図情報を保持する地図情報テーブルから特定の地図情報を抽出する。提供情報に提供対象範囲を示す範囲情報を対応づけて保持する提供情報テーブルを参照し、特定の地図情報と該提供情報テーブルの範囲情報との比較に基づいて、特定の提供情報を抽出する。特定の地図情報および特定の提供情報をユーザ端末に提供する。
請求項１５に記載の発明では、請求項１４記載の情報提供方法において、提供情報テーブルは、提供情報に対応づけてさらに有効期間を示す期間情報を保持するとともに、特定の提供情報を抽出する際に、さらに、現在日時と期間情報との比較に基づいて、特定の提供情報を抽出する。
【手続補正９】
【補正対象書類名】明細書
【補正対象項目名】００１４
【補正方法】変更
【補正の内容】
【００１４】
請求項１６に記載の発明では、請求項１４記載の情報提供方法において、提供情報テーブルは、提供情報に対応づけてさらに属性を示す属性情報を保持する。さらに、提供情報テーブルは、特定の提供情報を抽出する際、ユーザ端末の識別情報にユーザの特性を示す個人情報を対応づけて保持する個人情報テーブルを参照して、入力を受け付けたユーザ端末の識別情報に基づいて該ユーザ端末に対応するユーザの個人情報を取得し、取得した個人情報と提供情報テーブルの属性情報との比較の結果に基づいて、特定の提供情報を抽出する。
請求項１７に記載の発明では、請求項１４記載の情報提供方法において、特定の提供情報を抽出する際、提供情報を抽出する所定数を設定し、該所定数を超える場合には、提供情報を該所定数に限定して送出する。
請求項１８に記載の発明では、請求項１４記載の情報提供方法において、特定の提供情報を抽出する際、特定の地図情報に基づいて特定位置を決定し、該特定位置と提供情報テーブルの範囲情報との比較に基づいて、特定の提供情報を抽出してユーザ端末に提供する。
【手続補正１０】
【補正対象書類名】明細書
【補正対象項目名】００１５
【補正方法】変更
【補正の内容】
【００１５】
請求項１９に記載の発明では、請求項１４記載の情報提供方法において、特定の提供情報をユーザ端末に提供する際、特定の地図情報および特定の提供情報の両方を含む画面情報を生成して、ユーザ端末に提供する。
請求項２０に記載の発明では、請求項１９記載の情報提供方法において、情報抽出手段あるいは地図情報提供手段は、特定の地図情報と特定の提供情報が重ならない画面構成で画面情報を生成する。
請求項２１に記載の発明では、請求項１４記載の情報提供方法において、特定の提供情報をユーザ端末に提供する際、特定の地図情報とともに該地図情報の縮尺あるいは表示範囲を指示できる選択情報を提供する。
【手続補正１１】
【補正対象書類名】明細書
【補正対象項目名】００１６
【補正方法】変更
【補正の内容】
【００１６】
請求項２２に記載の発明では、請求項１４記載の情報提供方法において、特定の提供情報をユーザ端末に提供する際、特定の地図情報とともに該地図情報に連続する地図情報の表示を指示できる選択情報をユーザ端末に提供する。
請求項２３に記載の発明では、請求項１４記載の情報提供方法において、提供情報は、広告情報あるいはイベント情報である。
【手続補正１２】
【補正対象書類名】明細書
【補正対象項目名】００１７
【補正方法】変更
【補正の内容】
【００１７】
【発明の実施の形態】
以下、本発明の原理を説明する。
図１は、本発明の原理を示す第一のブロック図である。
本発明にかかわる第一の情報提供装置は、所定の情報通信ネットワーク１１を介してユーザ端末１２と接続される情報提供システムにおいて、地図情報を保持する地図情報テーブル２１と、情報通信ネットワーク１１を介して接続されたユーザ端末１２からの入力に応じて決定される特定の範囲の地図情報を、前記地図情報テーブル２１に基づいて前記ユーザ端末１２に提供する地図情報提供手段２２と、広告，イベント情報などの提供情報と各々の提供情報に対応づけられる少なくとも位置に関する提供対象範囲を示す範囲情報とを複数保持する提供情報テーブル２３と、前記ユーザ端末１２に提供される地図情報に基づいて特定位置を決定し、該特定位置と前記提供情報テーブル２３の各々の提供情報の範囲情報との比較の結果に応じて、前記提供情報テーブル２３上の一部の提供情報を抽出して前記ユーザ端末１２に提供する情報抽出手段２４とを設けたことを特徴とする。
ユーザがユーザ端末１２を操作すると、情報通信ネットワーク１１及び地図情報提供手段２２を介して地図情報テーブル２１から任意の注目位置を含む所定の範囲の地図情報が取り出される。
このとき、情報抽出手段２４は取り出される地図情報から、例えばその地図の中心位置を特定位置として決定する。また、この特定位置と提供情報テーブル２３上の各々の提供情報に対応づけられた範囲情報とを情報抽出手段２４は比較する。そして比較の結果が所定の条件を満たす提供情報だけを抽出してユーザ端末１２に送出する。
【手続補正１３】
【補正対象書類名】明細書
【補正対象項目名】００１８
【補正方法】変更
【補正の内容】
【００１８】
つまり、ユーザが地図情報を取り出すための入力操作を実施すると、地図情報だけでなく、その地図の範囲内の所定位置に対応づけられた特定の提供情報が自動的にユーザに提供される。
地図情報を取り出す必要のある人は、その地図の範囲内に含まれる特定の注目位置について興味を持っている可能性が極めて高いと考えられる。従って、その注目位置の近傍に存在する商店の広告やその近傍で開催されるイベントの情報は、地図情報を取り出した人にとって有益である可能性が高い。
従って、本発明によれば、地図情報を取り出す（参照する）ためのユーザの操作に伴って、ユーザの注目位置が自動的に識別され、その注目位置に興味を持つ人にとって有益な情報だけが自動的に選別されて地図情報とともにユーザに届けられる。
【手続補正１４】
【補正対象書類名】明細書
【補正対象項目名】００１９
【補正方法】変更
【補正の内容】
【００１９】
図２は、本発明の原理を示す第二のブロック図である。
本発明にかかわる第二の情報提供装置は、予め登録されたユーザの位置情報の取得に必要な位置管理情報及びユーザの連絡先を示す連絡先情報を保持するユーザ管理情報保持手段２５と、前記ユーザ管理情報保持手段２５に登録された位置管理情報に基づいて、各ユーザの現在位置情報を取得する位置認識手段２６と、広告，イベント情報などの提供情報と各々の提供情報に対応づけられる少なくとも位置に関する提供対象範囲を示す範囲情報とを複数保持する提供情報テーブル２３と、前記位置認識手段２６が認識したユーザの現在位置と前記提供情報テーブル２３の各々の提供情報の範囲情報との比較の結果に応じて、前記提供情報テーブル２３上の一部の提供情報を抽出する情報抽出手段２７と、前記ユーザ管理情報保持手段２５から前記ユーザの連絡先情報を取得して、取得した連絡先情報に応じた宛先に前記情報抽出手段２７が抽出した提供情報を送出する情報送出手段２８とを設けたことを特徴とする。
位置認識手段２６は、ユーザ管理情報保持手段２５に保持される位置管理情報に基づき、必要に応じてユーザの現在位置を認識する。例えば、ＰＨＳ端末装置を所持しているユーザについては、ＰＨＳ端末装置の位置を検出するサービスを利用することにより、ユーザの現在位置を把握できる。その場合には、位置管理情報としてＰＨＳ端末装置の電話番号などを利用できる。
【手続補正１５】
【補正対象書類名】明細書
【補正対象項目名】００２０
【補正方法】変更
【補正の内容】
【００２０】
情報抽出手段２７は、位置認識手段２６が認識したユーザの現在位置と提供情報テーブル２３の各々の提供情報の範囲情報との比較の結果に応じて、前記提供情報テーブル２３上の一部の提供情報を抽出する。抽出された提供情報は、情報送出手段２８により、ユーザ管理情報保持手段２５に保持されたユーザの連絡先情報の宛先に届けられる。
例えば、広告やイベントなどの情報を必要としている人が歩行等により移動している場合には、その人の現在位置の付近に存在する商店の広告やその付近で開催されているイベントの情報は、有用である可能性が高い。つまり、ユーザの現在位置に近い特定の位置に対応付けられた広告やイベントの情報をユーザに提供することは非常に好ましいことである。
【手続補正１６】
【補正対象書類名】明細書
【補正対象項目名】００２１
【補正方法】変更
【補正の内容】
【００２１】
本発明によれば、認識されたユーザの現在位置に近い特定の位置に対応付けられた情報だけを選択的に抽出して、ユーザの所持する端末装置（ＰＤＡ，ＰＨＳ等）に届けることができる。しかも、ユーザが特別な操作を行わなくても、自動的に必要な情報がユーザに届けられる。
本発明にかかわる第三の情報提供装置は、上述した第一又は第二の情報提供装置において、現在の日付及び時刻を検出する日時検出手段２９を設けるとともに、前記提供情報テーブル２３が、各々の提供情報に対応づけられる有効期間を示す期間情報を保持し、前記情報抽出手段２４，２７が、前記日時検出手段２９の検出した現在の日付及び時刻と前記提供情報テーブル２３上の各々の提供情報の期間情報との比較の結果に応じて、前記提供情報テーブル２３から抽出される提供情報を限定することを特徴とする。
広告やイベント情報は特定の期間に限って有効である場合が多い。既に効力を失った過去の情報は勿論であるが、近い将来（例えば数日先）に予定されたイベント等の情報についても、ユーザが必要としない場合は多い。例えば当日以外はその地域に滞在しない旅行者にとっては、当日以外で有効なイベントの情報は無意味である。
【手続補正１７】
【補正対象書類名】明細書
【補正対象項目名】００２２
【補正方法】変更
【補正の内容】
【００２２】
本発明によれば、現在の日時において有効な提供情報だけが自動的に選別されてユーザに提供される。従って、ユーザに提供される情報がユーザの希望する情報と一致する可能性が高まる。
本発明にかかわる第四の情報提供装置は、上述した第一または第二の情報提供装置において、予め登録されたユーザの特性を示す個人情報を保持する個人情報保持手段３０を設けるとともに、前記提供情報テーブル２３が、各々の提供情報に対応づけられる提供対象者の属性を示す属性情報を保持し、前記情報抽出手段２４，２７が、情報提供対象ユーザの個人情報を前記個人情報保持手段３０から取得して、取得した個人情報と前記提供情報テーブル２３上の各々の提供情報の属性情報との比較の結果に応じて、前記提供情報テーブル２３から抽出される提供情報を限定することを特徴とする。
人々の興味の対象は様々であるが、それらの種類は、例えば年齢，性別，趣向，職業等の個人の特性（属性）に応じてある程度区分できる。本発明によれば、予め登録された個人情報と各々の提供情報に対応づけられた提供対象者の属性とを比較することにより、ユーザに提供する情報が自動的に選別される。
従って、ユーザに提供される情報の種別と、ユーザの興味の対象とが、あるいはユーザに提供される情報の種別とその情報を提供する業者の希望する提供対象者とが一致する可能性が高まる。
本発明にかかわる第五の情報提供装置は、上述した第一又は第二の情報提供装置において、前記情報抽出手段２４，２７が、前記提供情報テーブル２３から抽出される提供情報の数を制限するとともに、所定の条件に適合する提供情報の数が制限数を超える場合には、乱数により選択された一部の情報に限定して前記提供情報を送出することを特徴とする。
【手続補正１８】
【補正対象書類名】明細書
【補正対象項目名】００２３
【補正方法】変更
【補正の内容】
【００２３】
一般に、多数の情報が同時に提供されると、その中から最も興味のある情報を探し出すのが困難になる。本発明では、ユーザに同時に提供する情報の数を抑制するために、所定の条件を満たす情報の数が制限数を超える場合には、実際にユーザに提供する情報の数を限定する。
【手続補正１９】
【補正対象書類名】明細書
【補正対象項目名】００２４
【補正方法】変更
【補正の内容】
【００２４】
ユーザに提供する情報は、乱数を用いて自動的に選別される。従って、同じ種類に属する多数の情報が存在する場合に、各々の情報がユーザに提供される確率を均等化できる。
本発明にかかわる第六の情報提供装置は、上述した第一又は第二の情報提供装置において、予め登録されたユーザの連絡先を示す連絡先情報を複数保持している場合に、複数の連絡先のそれぞれの区分を示す連絡先区分情報を、前記情報抽出手段２４，２７が抽出した提供情報とともにユーザに提供してユーザからの選択入力を受け付けることを特徴とする。
【手続補正２０】
【補正対象書類名】明細書
【補正対象項目名】００２５
【補正方法】変更
【補正の内容】
【００２５】
ユーザに提供された情報とユーザの希望とが常に一致するとは限らない。従って、最初にユーザに提供される情報は、詳細ではなく概要だけの方がよい。しかし、ユーザに提供された情報とユーザの希望とが一致した場合には、ユーザは詳細な情報の提供を求めることになる。
ユーザが詳細な情報の提供を求める場合には、ユーザから情報提供者に対して、希望を通知する必要がある。また、この通知には情報提供者がユーザに情報を送る際のユーザの連絡先の情報を含める必要がある。
【手続補正２１】
【補正対象書類名】明細書
【補正対象項目名】００２６
【補正方法】変更
【補正の内容】
【００２６】
ところで、前記通知をインターネット等を介して送信する場合には、実際の連絡先である電話番号，住所，メールアドレス等の個人的な情報を送信すると安全上の問題が生じる。すなわち、個人的な情報が情報提供とは直接関係のない第三者に漏洩する可能性がある。
本発明においては、ユーザの連絡先を予め登録しておく。そして、予め登録してあるユーザの連絡先の１つを指定するために、複数の連絡先のそれぞれの区分を示す連絡先区分情報、例えば「電話番号１」，「ＦＡＸ１」，「住所１」等の項目名の情報をユーザに提供し、ユーザからの選択入力を受け付ける。
【手続補正２２】
【補正対象書類名】明細書
【補正対象項目名】００２７
【補正方法】変更
【補正の内容】
【００２７】
従って、実際の電話番号や住所等の個人情報をインターネット等を介して送信する必要がなく、情報の漏洩に対する安全性が確保される。
本発明にかかわる第七の情報提供装置は、上述した第六の情報提供装置において、予め登録されたユーザの連絡先を示す連絡先情報を複数保持している場合に、複数の連絡先のそれぞれの区分を示す連絡先区分情報を、予め指定された優先順位に従って並べて表示することを特徴とする。
【手続補正２３】
【補正対象書類名】明細書
【補正対象項目名】００２８
【補正方法】変更
【補正の内容】
【００２８】
ユーザが連絡先区分情報を選択する場合に、選択肢が多いと入力操作が煩わしくなる。本発明では、予め指定（登録）された優先順位に従って、複数の連絡先区分情報が並べて表示されるので選択が容易になる。最優先の連絡先を利用する場合には、入力操作の省略も可能になる。
本発明にかかわる第八の情報提供装置は、所定の情報通信ネットワークを介してユーザ端末と接続される情報提供システムのコンピュータが実行する制御プログラムを記録した記録媒体であって、前記制御プログラムが、地図情報を保持する所定の地図情報テーブルを参照する手順と、情報通信ネットワークを介して接続されるユーザ端末からの入力に応じて決定される特定の範囲の地図情報を、前記地図情報テーブルに基づいて前記ユーザ端末に提供する手順と、広告，イベント情報などの提供情報と各々の提供情報に対応づけられる少なくとも位置に関する提供対象範囲を示す範囲情報とを複数保持する提供情報テーブルの内容を参照する手順と、前記ユーザ端末に提供される地図情報に基づいて特定位置を決定し、該特定位置と前記提供情報テーブルの各々の提供情報の範囲情報との比較の結果に応じて、前記提供情報テーブル上の一部の提供情報を抽出して前記ユーザ端末に提供する手順とを備えることを特徴とする。
【手続補正２４】
【補正対象書類名】明細書
【補正対象項目名】００２９
【補正方法】変更
【補正の内容】
【００２９】
本発明にかかわる情報提供装置のコンピュータが実行する制御プログラムを記録した記録媒体は、前記制御プログラムが、予め登録されたユーザの位置情報の取得に必要な位置管理情報及びユーザの連絡先を示す連絡先情報を保持するユーザ管理情報テーブルを参照する手段と、前記ユーザ管理情報テーブルに登録された位置管理情報に基づいて、各ユーザの現在位置情報を取得する手順と、広告，イベント情報などの提供情報と各々の提供情報に対応づけられる少なくとも位置に関する提供対象範囲を示す範囲情報とを複数保持する提供情報テーブルを参照する手順と、認識したユーザの現在位置と前記提供情報テーブルの各々の提供情報の範囲情報との比較の結果に応じて、前記提供情報テーブル上の一部の提供情報を抽出する手段と、前記ユーザ管理情報テーブルから前記ユーザの連絡先情報を取得して、取得した連絡先情報に応じた宛先に、抽出された提供情報を送出する手段とを備えることを特徴とする。
本発明の実施の形態を図３〜図１６に示す。この形態は上述した第一ないし第八の情報提供装置に対応する。
図３は、情報提供システム全体の構成を示すブロック図である。図４は、図３に示す各サーバの内部構成を示すブロック図である。図５は、図３の情報提供システムにより実行される地図情報検索時の情報提供処理の内容を示すフローチャートである。


【手続補正２５】
【補正対象書類名】明細書
【補正対象項目名】００３２
【補正方法】変更
【補正の内容】
【００３２】
この形態では、上述した第一の情報提供装置に備えられた地図情報テーブル，提供情報テーブル及び情報抽出手段は、それぞれ地図データファイル１４２，広告イベント情報ファイル１６２及び制御部１１６として具体化され、地図情報提供手段は地図データ制御部１４１，ＲＤＢＭＳ１５１及びＲＤＢＭＳ１６１として具体化されている。
また、上述した第二の情報提供装置に備えられたユーザ管理情報保持手段，位置認識手段及び提供情報テーブルは、それぞれユーザ情報ファイル１３２，現在地情報取得管理部１３４及び広告イベント情報ファイル１６２として具体化され、情報抽出手段及び情報送出手段は制御部１１６として具体化されている。


【手続補正２６】
【補正対象書類名】明細書
【補正対象項目名】００３３
【補正方法】変更
【補正の内容】
【００３３】
更に、上述した第三の情報提供装置に備えられた日時検出手段及び上述した第四の情報提供装置に備えられたの個人情報保持手段は、それぞれ内部時計１１７及びユーザ情報ファイル１３２として具体化されている。
図３に示す情報提供システムは、情報提供サーバ１１０，テレフォニーサーバ１２０，ユーザ管理サーバ１３０，地図サーバ１４０，店情報サーバ１５０及び広告イベント情報サーバ１６０を備えている。


【手続補正２７】
【補正対象書類名】明細書
【補正対象項目名】００８４
【補正方法】変更
【補正の内容】
【００８４】
【発明の効果】
本発明によれば、地図情報を取り出すためのユーザの操作に伴って、ユーザの注目位置が自動的に識別され、その注目位置に興味を持つ人にとって有益な情報だけが自動的に選別されて地図情報とともにユーザに届けられる。


【手続補正２８】
【補正対象書類名】明細書
【補正対象項目名】００８５
【補正方法】変更
【補正の内容】
【００８５】
また、本発明によれば、認識されたユーザの現在位置に近い特定の位置に対応付けられた情報だけを選択的に抽出して、ユーザの所持する端末装置（ＰＤＡ，ＰＨＳ等）に届けることができる。しかも、ユーザが特別な操作を行わなくても、自動的に必要な情報がユーザに届けられる。
さらに、本発明によれば、現在の日時において有効な提供情報だけが自動的に選別されてユーザに提供される。従って、ユーザに提供される情報がユーザの希望する情報と一致する可能性が高まる。


【手続補正２９】
【補正対象書類名】明細書
【補正対象項目名】００８６
【補正方法】変更
【補正の内容】
【００８６】
また、本発明によれば、予め登録された個人情報と各々の提供情報に対応づけられた提供対象者の属性とを比較することにより、ユーザに提供する情報が自動的に選別される。従って、ユーザに提供される情報の種別と、ユーザの興味の対象とが、あるいはユーザに提供される情報の種別とその情報を提供する業者の希望する提供対象者とが一致する可能性が高まる。


【手続補正３０】
【補正対象書類名】明細書
【補正対象項目名】００８７
【補正方法】変更
【補正の内容】
【００８７】
さらに、本発明によれば、ユーザに提供される情報が限定されるとともに、乱数を用いて自動的に選別が実施される。従って、同じ種類に属する多数の情報が存在する場合に、各々の情報がユーザに提供される確率を均等化できる。
また、本発明によれば、予め登録してあるユーザの連絡先を利用して連絡を実施できるので、実際の電話番号や住所等の個人情報をインターネット等を介して送信する必要がなく、情報の漏洩に対する安全性が確保される。


【手続補正３１】
【補正対象書類名】明細書
【補正対象項目名】００８８
【補正方法】変更
【補正の内容】
【００８８】
さらに、本発明によれば、予め指定された優先順位に従って、複数の連絡先区分情報が並べて表示されるので選択が容易である。最優先の連絡先を利用する場合には、入力操作の省略も可能になる。


【手続補正３２】
【補正対象書類名】明細書
【補正対象項目名】００８９
【補正方法】変更
【補正の内容】
【００８９】
また、本発明によれば、地図情報を取り出すためのユーザの操作に伴って、ユーザの注目位置が自動的に識別され、その注目位置に興味を持つ人にとって有益な情報だけが自動的に選別されて地図情報とともにユーザに届けられる。
さらに、本発明によれば、認識されたユーザの現在位置に近い特定の位置に対応付けられた情報だけを選択的に抽出して、ユーザの所持する端末装置（ＰＤＡ，ＰＨＳ等）に届けることができる。しかも、ユーザが特別な操作を行わなくても、自動的に必要な情報がユーザに届けられる。


【手続補正３３】
【補正対象書類名】明細書
【補正対象項目名】図面の簡単な説明
【補正方法】変更
【補正の内容】
【図面の簡単な説明】
【図１】本発明の原理を示す第一のブロック図である。
【図２】本発明の原理を示す第二のブロック図である。
【図３】情報提供システム全体の構成を示すブロック図である。
【図４】図３に示す各サーバの内部構成を示すブロック図である。
【図５】図３の情報提供システムにより実行される地図情報検索時の情報提供処理の内容を示すフローチャートである。
【図６】図５のステップＳ１９の内容を示すフローチャートである。
【図７】図５のステップＳ２０の内容を示すフローチャートである。
【図８】図３の情報提供システムにより実行される自動情報提供処理の内容を示すフローチャートである。
【図９】１つの表示雛形ファイルの内容を示すマップである。
【図１０】図９の表示雛形ファイルを用いて生成されたフレーム情報Ｄ４のレイアウトを示す平面図である。
【図１１】１つの表示雛形ファイルの内容を示すマップである。
【図１２】図１１の表示雛形ファイルを用いて生成されたフレーム情報Ｄ４のレイアウトを示す平面図である。
【図１３】ユーザ情報テーブルの一部分を示すマップである。
【図１４】広告イベント情報テーブルの一部分を示すマップである。
【図１５】広告イベント情報テーブルの一部分を示すマップである。
【図１６】ユーザ側で表示される情報のレイアウトを示す平面図である。
【符号の説明】
１１  情報通信ネットワーク
１２  ユーザ端末
２１  地図情報テーブル
２２  地図情報提供手段
２３  提供情報テーブル
２４，２７  情報抽出手段
２５  ユーザ管理情報保持手段
２６  位置認識手段
２８  情報送出手段
２９  日時検出手段
３０  個人情報保持手段
１１０  情報提供サーバ
１１１  通信部
１１２  ゲートウェイ
１１３  データ管理部
１１４  データ合成装置
１１５  セッション管理部
１１６  制御部
１１７  内部時計
１１８  ＷＷＷサーバ
１２０  テレフォニーサーバ
１２１  メディア変換装置
１２２  回線接続装置
１２３  課金管理部
１２４  モデムプール
１３０  ユーザ管理サーバ
１３１  ＲＤＢＭＳ
１３２  ユーザ情報ファイル
１３３  ログデータファイル
１３４  現在地情報取得管理部
１４０  地図サーバ
１４１  地図データ制御部
１４２  地図データファイル
１４３  アイコンデータファイル
１５０  店情報サーバ
１５１  ＲＤＢＭＳ
１５２  店情報ファイル
１６０  広告イベント情報サーバ
１６１  ＲＤＢＭＳ
１６２  広告イベント情報ファイル
１６３  ログ情報ファイル
１７０  ＬＡＮ
１８０  インターネット
１９０  位置情報提供サービス
２００  ユーザ端末
２５０  通信回線


【手続補正３４】
【補正対象書類名】図面
【補正対象項目名】図１
【補正方法】変更
【補正の内容】
【図１】
1999265398.tif 000001
【手続補正３５】
【補正対象書類名】図面
【補正対象項目名】図２
【補正方法】変更
【補正の内容】
【図２】
1999265398.tif 000002